(57)【要約】【課題】使用時に直方体状の函に組み立てるときにおいて、函の隅に応力が集中することを防ぎ、隅部に裂け目ができないようにする。【解決手段】折込片２６、２７、２８、２９と貼着片３０、３１、３２、３３における底壁又は天壁１の左右の外側壁６、７の上下の折目線１８、１９、２０、２１と底壁又は天壁１の上下の外側壁１４、１５の左右の折目線２２、２３、２４、２５とが交わる部分側の一部を切欠４２、４３、４４、４５する。【選択図】図１
0003137683.tif 000002
【実用新案登録請求の範囲】
【請求項１】
一枚の厚紙を裁断して組み立てるものであり、底壁又は天壁を中心として、該底壁又は天壁の左右両側に、折目線を介して外側壁、内側壁を連設せしめ、また前記底壁又は天壁の上下に、折目線を介して外側壁、内側壁を連設せしめ、前記底壁又は天壁の左右の外側壁の上下と前記底壁又は天壁の上下の外側壁の左右との間に、折目線を介して折込片及び貼着片を設けると共にこれら折込片と貼着片との間に折目線を設け、更に前記底壁又は天壁の上下に連設した内側壁に、前記折目線の両端近傍部から該内側壁の外辺中央部に向かう折目線を設けてなり、先ず前記底壁又は天壁の左右の外側壁に連設した内側壁を夫々折目線から内側に折り返して外側壁に重合貼着し、次に前記底壁又は天壁の左右の外側壁を夫々折目線から内側に折り返して前記貼着片を底壁又は天壁の上下の外側壁に重合貼着し、最後に前記底壁又は天壁の上下の外側壁に連設した内側壁を夫々折目線から内側に折り返して、前記底壁又は天壁の上下の外側壁に重合し、その中央部を貼着してなる組立函において、前記折込片と貼着片における前記底壁又は天壁の左右の外側壁の上下の折目線と前記底壁又は天壁の上下の外側壁の左右の折目線とが交わる部分側の一部を切欠したことを特徴とする組立函。
【考案の詳細な説明】
【技術分野】
【０００１】
本考案は、一枚の厚紙を裁断して組み立てる組立函に関し、更に詳細には保管時には偏平な状態となり、使用時には手で左右両側の側壁を起立させるだけで簡単迅速に直方体状の函に組み立てることができるようになした組立函に係わる。
【背景技術】
【０００２】
一枚の厚紙を裁断して組み立てる組立函であって、保管時には偏平な状態となり、使用時には手で左右両側の側壁を起立させるだけで簡単迅速に直方体状の函に組み立てることができるようになした組立函が実用に供されている。
【０００３】
図１１乃至図１３には斯かる従来実用に供されている組立函を示しており、該組立函１００は一枚の厚紙を裁断して組み立てるものであり、底壁又は天壁１０１を中心として、該底壁又は天壁１０１の左右両側に、折目線１０２、１０２′、１０３、１０３′を介して外側壁１０４、１０４′、内側壁１０５、１０５′を連設せしめ、また前記底壁又は天壁１０１の上下に、折目線１０６、１０６′、１０７、１０７′を介して外側壁１０８、１０８′、内側壁１０９、１０９′を連設せしめ、前記底壁又は天壁１０１の左右の外側壁１０４、１０４′の上下と前記底壁又は天壁１０１の上下の外側壁１０８、１０８′の左右との間に、折目線１１０、１１１、１１２、１１３、１１４、１１５、１１６、１１７を介して折込片１１８、１１９、１２０、１２１及び貼着片１２２、１２３、１２４、１２５を設けると共にこれら折込片１１８、１１９、１２０、１２１と貼着片１２２、１２３、１２４、１２５との間に折目線１２６、１２７、１２８、１２９を設け、更に前記底壁又は天壁１０１の上下に連設した内側壁１０９、１０９′に、前記折目線１０７、１０７′の両端近傍部から該内側壁１０９、１０９′の外辺中央部に向かう折目線１３０、１３１、１３２、１３３を設けてなり、先ず前記底壁又は天壁１０１の左右の外側壁１０４、１０４′に連設した内側壁１０５、１０５′を夫々折目線１０３、１０３′から内側に折り返して外側壁１０４、１０４′に重合貼着し、次に前記底壁又は天壁１０１の左右の外側壁１０４、１０４′を夫々折目線１０２、１０２′から内側に折り返して前記貼着片１２２、１２３、１２４、１２５を底壁又は天壁１０１の上下の外側壁１０８、１０８′に重合貼着し、最後に前記底壁又は天壁１０１の上下の外側壁１０８、１０８′に連設した内側壁１０９、１０９′を夫々折目線１０７、１０７′から内側に折り返して、前記底壁又は天壁１０１の上下の外側壁１０８、１０８′に重合し、その中央部を貼着してなるものである。
【０００４】
斯かる組立函１００は、保管時には偏平な状態となり、使用時には手で左右両側の重合された外側壁１０４、１０４′と内側壁１０５、１０５′からなる側壁を起立させるだけで簡単迅速に直方体状の函に組み立てることができて便利である。
【０００５】
また、上記と同様の組立函が特許文献１、２にも開示されている。
【０００６】
【特許文献１】特開２００４−１２３１６４号公報
【特許文献２】実開昭６４−３５８２０号公報
【考案の開示】
【考案が解決しようとする課題】
【０００７】
しかし、上記組立函１００には、使用時に直方体状に組み立てるときにおいて、図１３に示す如く底の四隅（Ａ部分）に裂け目ができやすいという問題点がある。即ち、該組立函１００は保管時には左右両側の側壁が内側に折り返されて底壁又は天壁１０１に重合した偏平状態であり、そして、使用時において直方体状の函に組み立てるときには、図１２に示す如く、手で左右両側の側壁（左側の側壁は重合された外側壁１０４と内側壁１０５、右側の側壁は外側壁１０４′と内側壁１０５′とからなる。）を内側から押し開くようにして起立させることにより行うが、底壁又は天壁１０１の上下の外側壁１０８、１０８′に連設した内側壁１０９、１０９′は、折り返して上下の外側壁１０８、１０８′に重合し、その中央部のみを貼着していることから、左右の側壁が夫々徐々に起立するときに折込片１１８、１１９、１２０、１２１の上縁が該内側壁１０９、１０９′の左右の端部の内面を、こじ開けるように擦り乍ら押し上げることになる。そして、このときには内側壁１０９、１０９′の左右の端部は上側に次第に折れ曲がる。また一方、このときには内側壁１０９、１０９′の左右の端部には元の形状に戻ろうとする復元弾性力が生ずるから、折込片１１８、１１９、１２０、１２１に下向きの、つまり図１２中矢標Ｘの力が働くことになる。また一方、底壁又は天壁１０１の上下の外側壁１０８、１０８′の内側に貼着された貼着片１２２、１２３、１２４、１２５には、内側壁１０９、１０９′の押し曲げられた左右の端部が復元弾性力によって角度θを小さくするように作用するから、下向きの、つまり図１２中矢標Ｙの力が働くようになる。そしてこの場合、ＸとＹの力が函の隅の一点に集中、即ち応力の集中が起こるため、函の隅に裂け目ができることになるものである。
【０００８】
本考案は上記の点に鑑みなされたものであって、使用時に直方体状に組み立てるときにおいて、函の隅に応力が集中することを防ぎ、もって隅部に裂け目ができることがないようになした組立函を提供しようとするものである。
【課題を解決するための手段】
【０００９】
而して、本考案に係る組立函は、一枚の厚紙を裁断して組み立てるものであり、底壁又は天壁を中心として、該底壁又は天壁の左右両側に、折目線を介して外側壁、内側壁を連設せしめ、また前記底壁又は天壁の上下に、折目線を介して外側壁、内側壁を連設せしめ、前記底壁又は天壁の左右の外側壁の上下と前記底壁又は天壁の上下の外側壁の左右との間に、折目線を介して折込片及び貼着片を設けると共にこれら折込片と貼着片との間に折目線を設け、更に前記底壁又は天壁の上下に連設した内側壁に、前記折目線の両端近傍部から該内側壁の外辺中央部に向かう折目線を設けてなり、先ず前記底壁又は天壁の左右の外側壁に連設した内側壁を夫々折目線から内側に折り返して外側壁に重合貼着し、次に前記底壁又は天壁の左右の外側壁を夫々折目線から内側に折り返して前記貼着片を底壁又は天壁の上下の外側壁に重合貼着し、最後に前記底壁又は天壁の上下の外側壁に連設した内側壁を夫々折目線から内側に折り返して、前記底壁又は天壁の上下の外側壁に重合し、その中央部を貼着してなる組立函において、前記折込片と貼着片における前記底壁又は天壁の左右の外側壁の上下の折目線と前記底壁又は天壁の上下の外側壁の左右の折目線とが交わる部分側の一部を切欠したことを特徴とするものである。
【００１０】
また、本考案は同一の構成において容器本体或いは蓋にすることができるものであり、上記構成において中心にある壁部が底壁であれば容器本体と、また、天壁であれば蓋となるものである。
【００１１】
本考案は、上記の如く、折込片と貼着片における底壁又は天壁の左右の外側壁の上下の折目線と底壁又は天壁の上下の外側壁の左右の折目線とが交わる部分側の一部を切欠したことにより、使用時に直方体状の函に組み立てるときにおいて、折込片と貼着片に函の隅部に向かう力が働くとき、切欠部分において力の伝播を中断することができるものである。したがって、函の隅に応力が集中することを防ぎ、隅部に裂け目ができることを防ぐことができるものである。
【考案の効果】
【００１２】
本考案は上記の如き構成、作用であるから、使用時に直方体状の函に組み立てるときにおいて、函の隅に応力が集中することを防ぎ、隅部に裂け目ができることを防ぐことができるものである。また、切欠は折込片と貼着片に設けていることから、直方体状の函として組み立てが完了したときには該切欠部分は函の内部に隠れてしまい、函の美観を損なうことがないものである。
【考案を実施するための最良の形態】
【００１３】
以下、本考案組立函を実施するための最良の形態について、図面を参照して説明する。
【００１４】
図１は本考案の実施形態に係る組立函の展開図、図２乃至図５は組み立て工程の説明図、図６乃至図８は使用時における組み立て工程の説明図、図９及び図１０は作用説明図である。
【００１５】
本考案は、一枚の厚紙を裁断して組み立てるものであり、底壁又は天壁１を中心として、該底壁又は天壁１の左右両側に、折目線２、３、４、５を介して外側壁６、７、内側壁８、９を連設せしめ、また前記底壁又は天壁１の上下に、折目線１０、１１、１２、１３を介して外側壁１４、１５、内側壁１６、１７を連設せしめ、前記底壁又は天壁１の左右の外側壁６、７の上下と前記底壁又は天壁１の上下の外側壁１４、１５の左右との間に、折目線１８、１９、２０、２１、２２、２３、２４、２５を介して折込片２６、２７、２８、２９及び貼着片３０、３１、３２、３３を設けると共にこれら折込片２６、２７、２８、２９と貼着片３０、３１、３２、３３との間に折目線３４、３５、３６、３７を設け、更に前記底壁又は天壁１の上下に連設した内側壁１６、１７に、前記折目線１２、１３の両端近傍部から該内側壁１６、１７の外辺中央部に向かう折目線３８、３９、４０、４１を設けてなり、先ず、図２及び図３に示す如く、前記底壁又は天壁１の左右の外側壁６、７に連設した内側壁８、９を夫々折目線４、５から内側に折り返して外側壁６、７に重合貼着し、次に、図４に示す如く、前記底壁又は天壁１の左右の外側壁６、７を夫々折目線２、３から内側に折り返して前記貼着片３０、３１、３２、３３を底壁又は天壁１の上下の外側壁１４、１５に重合貼着し、最後に、図５に示す如く、前記底壁又は天壁１の上下の外側壁１４、１５に連設した内側壁１６、１７を夫々折目線１２、１３から内側に折り返して、前記底壁又は天壁１の上下の外側壁１４、１５に重合し、その中央部を貼着してなる組立函であることにおいては従来の組立函と同様である。
【００１６】
而して、本考案は該組立函において、前記折込片２６、２７、２８、２９と貼着片３０、３１、３２、３３における前記底壁又は天壁１の左右の外側壁６、７の上下の折目線１８、１９、２０、２１と前記底壁又は天壁１の上下の外側壁１４、１５の左右の折目線２２、２３、２４、２５とが交わる部分側の一部を切欠４２、４３、４４、４５したことを特徴とするものである。尚、図においてＭは糊等の接着剤や粘着剤を示すものである。
【００１７】
本実施形態に係る組立函は、保管時における状態並びに使用時における組み立て方においては従来の組立函と同様である。即ち、保管時には図５に示す如く偏平な状態であり、そして使用時において組み立てるときには、先ず、図６に示す如く、底壁又は天壁１の左右の側壁（左側の側壁は重合された外側壁６と内側壁８、右側の側壁は外側壁７と内側壁９とからなる。）を開くようにして立ち上げる。このときには左右の側壁が立ち上がるにつれて、これに連なる各折込片２６、２７、２８、２９の折り込みによって底壁又は天壁１の上下の外側壁１４、１５及び内側壁１６、１７も徐々に立ち上がる。そしてまた、このときには該内側壁１６、１７の左右両側部分が該折込片２６、２７、２８、２９の上縁によって押し上げられて次第に折れ曲がる。そして、底壁又は天壁１の左右の側壁が直角になるまで立ち上がると、底壁又は天壁１の上下の側壁も同じように立ち上がり、図７に示す如く、その内側壁１６、１７の左右両側の浮き上がった部分が各折込片２６、２７、２８、２９を乗り越える。そしてその後、内側壁１６、１７の左右両側の浮き上がった部分は、その復元弾性力によって元の形に戻ろうとして外側壁１４、１５に添うようになり、図８に示した組み立て完成状態となるものである。
【００１８】
そして、上記組み立て工程において、前記の如く、左右の側壁を開くようにして立ち上げるときに、図９に示す如く、前記従来の組立函におけると同様に、折込片２６、２７、２８、２９と貼着片３０、３１、３２、３３とに函の隅部に向かう力が働くが、折込片２６、２７、２８、２９と貼着片３０、３１、３２、３３における底壁又は天壁１の左右の外側壁６、７の上下の折目線１８、１９、２０、２１と底壁又は天壁１の上下の外側壁１４、１５の左右の折目線２２、２３、２４、２５とが交わる部分側の一部を切欠４２、４３、４４、４５したことにより、この切欠部分４２、４３、４４、４５において力の伝播を中断することができるものである。したがって、函の隅に応力が集中することを防ぎ、図１０に示す如く隅部に裂け目ができないようにすることができるものである。また、切欠４２、４３、４４、４５は折込片２６、２７、２８、２９と貼着片３０、３１、３２、３３に設けていることから、図１０に示す如く、直方体状の函として組み立てが完了したときには該切欠部分４２、４３、４４、４５は函の内部に隠れてしまい、函の美観を損なうことがないものである。
【図面の簡単な説明】
【００１９】
【図１】本考案の実施形態に係る組立函の展開図である。
【図２】同組立函の組み立て工程の説明図である。
【図３】同組立函の組み立て工程の説明図である。
【図４】同組立函の組み立て工程の説明図である。
【図５】同組立函の組み立て工程の説明図である。
【図６】同組立函の使用時における組み立て工程の説明図である。
【図７】同組立函の使用時における組み立て工程の説明図である。
【図８】同組立函の使用時における組み立て工程の説明図である。
【図９】同組立函の作用説明図である。
【図１０】同組立函の作用説明図である。
【図１１】従来の組立函の展開図である。
【図１２】従来の組立函の作用説明図である。
【図１３】従来の組立函の作用説明図である。
【符号の説明】
【００２０】
１  底壁又は天壁
２、３、４、５  折目線
６、７  外側壁
８、９  内側壁
１０、１１、１２、１３  折目線
１４、１５  外側壁
１６、１７  内側壁
１８、１９、２０、２１、２２、２３、２４、２５  折目線
２６、２７、２８、２９  折込片
３０、３１、３２、３３  貼着片
３４、３５、３６、３７  折目線
３８、３９、４０、４１  折目線
４２、４３、４４、４５  切欠
【図１】
0003137683.tif 000003
【図２】
0003137683.tif 000004
【図３】
0003137683.tif 000005
【図４】
0003137683.tif 000006
【図５】
0003137683.tif 000007
【図６】
0003137683.tif 000008
【図７】
0003137683.tif 000009
【図８】
0003137683.tif 000010
【図９】
0003137683.tif 000011
【図１０】
0003137683.tif 000012
【図１１】
0003137683.tif 000013
【図１２】
0003137683.tif 000014
【図１３】
0003137683.tif 000015